(57)【特許請求の範囲】
【請求項１】
単一のロック機構により施錠された紙幣収納ユニットに紙幣を受け入れて遊技媒体の貸し出し処理をおこなう貸出処理機と、前記紙幣による入金情報を売上金額として取得する管理サーバとを備えた遊技媒体貸出システムであって、
前記管理サーバは、
前記単一のロック機構により施錠された紙幣収納ユニットの解錠を許可する旨を通知する解錠許可通知手段を備え、
前記貸出処理機は、
前記管理サーバとの間の通信がオンラインまたはオフラインであるかを検知する検知手段と、
遠隔操作装置により解錠の指示をおこなった者が前記単一のロック機構の解錠を指示する正当な権限を持つ紙幣取扱者であるか否かを暗証番号又は生体認証により認証する解錠指示権限認証手段と、
前記検知手段による検知結果がオンラインである場合には、前記解錠許可通知手段によって解錠を許可する旨が通知された後に、前記遠隔操作装置により前記単一のロック機構の解錠を指示する旨が通知されたならば、前記解錠指示権限認証手段による認証を伴うことなく前記単一のロック機構の解錠をおこなうように制御し、前記検知手段による検知結果がオフラインである場合には、前記遠隔操作装置により前記単一のロック機構の解錠を指示する旨が通知され、かつ、前記解錠指示権限認証手段により正当な権限を持つ紙幣取扱者であると認証されたならば、前記単一のロック機構の解錠をおこなうように制御する解錠制御手段と
を備えたことを特徴とする遊技媒体貸出システム。
【請求項２】
前記貸出処理機は、前記解錠許可通知手段によって解錠を許可する旨が通知された場合に、前記単一のロック機構を解除するにあたっての制御状態をロック状態から解錠許可状態に遷移させる制御状態遷移手段をさらに備え、
前記解錠制御手段は、前記制御状態遷移手段によって制御状態が解錠許可状態に遷移されている場合に、遠隔操作装置により前記単一のロック機構の解錠を指示する旨が通知された場合に、前記単一のロック機構の解錠をおこなうように制御することを特徴とする請求項１に記載の遊技媒体貸出システム。
【発明の詳細な説明】
【０００１】
【発明の属する技術分野】
本発明は、紙幣の受け入れにより、遊技機に対して遊技媒体を貸出す遊技媒体貸出システムに関し、特に、紙幣収納ユニットに収納された紙幣のセキュリティを確保しつつ、紙幣の回収作業を効率良くおこなうことができる遊技媒体貸出システムに関する。
【０００２】
【従来の技術】
従来より、パチンコ機やパチスロ機などの遊技機を設置した遊技店で遊技をおこなう場合には、カード発行機などから、一旦プリペイドカードなどの磁気カード（記録媒体）を購入し、このプリペイドカードに関連付けられた有価価値に応じてパチンコ玉やメダルなどの遊技媒体を借り受ける遊技媒体貸出システム（カードシステム）が一般的に採用されている。また、プリペイドカードなどのカード媒体を使用する遊技媒体貸出システムの他、紙幣の投入によって遊技機に対して遊技媒体を貸出す遊技媒体貸出システムも知られている。
【０００３】
ここで、かかるパチンコ機およびパチスロ機などの貸出処理機は、遊技客により投入された紙幣を収納する紙幣収納ユニットを備えており、通常、この紙幣収納ユニットには、鍵を使用したロック機構により施錠がおこなわれるものが採用されている（例えば、特許文献１参照。）。このため、遊技店の閉店時などには、店員による解錠により紙幣収納ユニット内に収納されている紙幣の回収をおこなうものとなる。
【０００４】
【特許文献１】
特開平１０−８５４３７号公報
【０００５】
【発明が解決しようとする課題】
しかしながら、上記の従来技術における鍵による施錠方式の場合には、紙幣の回収時に各貸出処理機の鍵をその都度、解錠する必要があるため、紙幣の回収作業に手間（時間）がかかり作業効率の面で問題があった。
【０００６】
また、上記の従来技術においては、不正を目的とする第三者に貸出処理機の鍵を入手されたり偽造されてしまった場合、容易に紙幣を回収されてしまうため、紙幣収納ユニットに収納された紙幣のセキュリティを確保できなかった。
【０００７】
そこで、この発明は、上述した従来技術による問題点を解消するためになされたものであり、紙幣収納ユニットに収納された紙幣のセキュリティを確保しつつ、紙幣の回収作業を効率良くおこなうことができる遊技媒体貸出システムを提供することを目的とする。
【０００８】
【課題を解決するための手段】
上述した課題を解決し、目的を達成するため、本発明に係る遊技媒体貸出システムは、単一のロック機構により施錠された紙幣収納ユニットに紙幣を受け入れて遊技媒体の貸し出し処理をおこなう貸出処理機と、前記紙幣による入金情報を売上金額として取得する管理サーバとを備えた遊技媒体貸出システムであって、前記管理サーバは、前記単一のロック機構により施錠された紙幣収納ユニットの解錠を許可する旨を通知する解錠許可通知手段を備え、前記貸出処理機は、前記管理サーバとの間の通信がオンラインまたはオフラインであるかを検知する検知手段と、遠隔操作装置により解錠の指示をおこなった者が前記単一のロック機構の解錠を指示する正当な権限を持つ紙幣取扱者であるか否かを暗証番号又は生体認証により認証する解錠指示権限認証手段と、前記検知手段による検知結果がオンラインである場合には、前記解錠許可通知手段によって解錠を許可する旨が通知された後に、前記遠隔操作装置により前記単一のロック機構の解錠を指示する旨が通知されたならば、前記解錠指示権限認証手段による認証を伴うことなく前記単一のロック機構の解錠をおこなうように制御し、前記検知手段による検知結果がオフラインである場合には、前記遠隔操作装置により前記単一のロック機構の解錠を指示する旨が通知され、かつ、前記解錠指示権限認証手段により正当な権限を持つ紙幣取扱者であると認証されたならば、前記単一のロック機構の解錠をおこなうように制御する解錠制御手段とを備えたことを特徴とする。
【０００９】
また、本発明に係る遊技媒体貸出システムは、上記の発明において、前記貸出処理機は、前記解錠許可通知手段によって解錠を許可する旨が通知された場合に、前記単一のロック機構を解除するにあたっての制御状態をロック状態から解錠許可状態に遷移させる制御状態遷移手段をさらに備え、前記解錠制御手段は、前記制御状態遷移手段によって制御状態が解錠許可状態に遷移されている場合に、遠隔操作装置により前記単一のロック機構の解錠を指示する旨が通知された場合に、前記単一のロック機構の解錠をおこなうように制御することを特徴とする。
【００１４】
【発明の実施の形態】
以下に添付図面を参照して、パチンコ遊技に対して本発明に係る遊技媒体貸出システムを適用する場合の好適な実施の形態を詳細に説明する。なお、以下では、本実施の形態で用いる主要な用語を最初に説明してから、本実施の形態に係る遊技媒体貸出システムの概要および特徴を説明し、これに続いて、この遊技媒体貸出システムの構成を説明し、その後、各種処理の手順を説明し、最後に、他の実施の形態として種々の変形例を説明することとする。
【００１５】
以下に、本実施の形態で用いる主要な用語を簡単に説明する。本実施の形態で用いる「管理者」とは、「解錠許可」を通知する権限（管理サーバによって「解錠許可信号」を送信する権限）を持つ遊技店の管理責任者であり、また、「紙幣取扱者」とは、「解錠指示」を通知する権限（遠隔操作装置（リモコン）によって「解錠指示信号」を送信する権限）を持つ遊技店の幹部店員などのホールスタッフを指す。なお、本実施の形態では、上記の「管理者」は、「紙幣取扱者」の権限を兼務することができることとする。
【００１６】
（概要および特徴）
まず最初に、本実施の形態に係る遊技媒体貸出システムの概要および特徴を説明する。図１は、本実施の形態に係る遊技媒体貸出システムの概要を示す説明図である。図２は、本実施の形態に係る遊技媒体貸出システムの概略構成を示す機能ブロック図である。図３は、管理サーバ２００の構成を示す機能ブロック図を、図４は、中央管理装置１００の構成を示す機能ブロック図をそれぞれ示している。
【００１７】
すなわち、図１、２に示すように、この遊技媒体貸出システムでは、それぞれ「島」と呼ばれるグループごとに複数の遊技機（以下、『パチンコ機』と称する）が併設されるとともに、これらパチンコ機１０にはそれぞれ１台ずつペアとなるように遊技媒体貸出処理機（以下、『玉貸処理機』と称する）がパチンコ機１０の相互間に挟まれるように据置されており、遊技客により各玉貸処理機２０に挿入された紙幣（現金）による入金情報は売上情報として、中継器３００を介して接続された管理サーバ２００に対して送信され、この管理サーバ２００により各玉貸処理機２０の売上情報（金額）が個別に管理されている。
【００１８】
さらに、この管理サーバ２００は、第三者機関である中央管理装置１００に接続され、管理サーバ２００により集計された各玉貸処理機２０の売上情報は、中央管理装置１００に対して送信される。以上のように、中央管理装置１００により複数の遊技店（遊技店Ａ、Ｂ、Ｃ・・・）の総売上金額を統括的に管理する遊技媒体貸出システムが構築されている。
【００１９】
ここで、かかる遊技媒体貸出システムにおいて、管理サーバ２００は、ロック機構により施錠された紙幣収納ユニットの解錠を許可する旨を通知し、貸出処理機２０は、解錠を許可する旨を通知された後に、リモコンにより解錠を指示する旨を通知された場合に、紙幣収納ユニットの解錠をおこなうように制御する解錠制御処理に主たる特徴があり、かかる解錠制御処理によって、紙幣収納ユニットに収納された紙幣のセキュリティを確保しつつ、紙幣の回収作業を効率良くおこなうことができるようにしている。
【００２０】
この主たる特徴を具体的に説明すると、リモコンによって「解錠指示」の通知をおこなうため、紙幣の回収時に各玉貸処理機２０の鍵をその都度、解錠する必要がなく、紙幣の回収作業を効率良くおこなうことができる。また、管理サーバ２００による「解錠許可」の通知がなければ、紙幣収納ユニットの解錠がおこなわれないように制御することにより、不正を目的とする第三者にリモコンを入手されてしまった場合でも、紙幣収納ユニットに収納された紙幣のセキュリティを確保することができる。
【００２１】
したがって、上記した主たる特徴のように、紙幣収納ユニットに収納された紙幣のセキュリティを確保しつつ、紙幣の回収作業を効率良くおこなうことが可能になる。
【００２２】
また、本実施の形態に係る遊技媒体貸出システムは、上記の主たる特徴に関連して以下のような特徴も付加的に有するものである。つまり、本実施の形態では、管理サーバは、解錠を許可する旨の通知をおこなうに際して、解錠の許可を通知しようとする者が紙幣収納ユニットの解錠を許可する権限を持つ管理者であるか否かを認証し、管理者であると認証された場合に、紙幣収納ユニットの解錠を許可する旨を通知する。すなわち、これによって、紙幣収納ユニットの解錠を許可する権限を持つ管理者への成りすましを防止することができ、紙幣収納ユニットに収納された紙幣のセキュリティをより高い水準で確保しつつ、紙幣の回収作業を効率良くおこなうことができるようにしている。
【００２３】
また、本実施の形態では、貸出処理機は、遠隔操作装置により解錠を指示する旨を通知された際に、該遠隔操作装置により解錠の指示をおこなった者が紙幣収納ユニットの解錠を指示する権限を持つ紙幣取扱者であるか否かを認証し、紙幣取扱者であると認証された場合に、紙幣収納ユニットの解錠をおこなうように制御する。すなわち、これによって、紙幣収納ユニットの解錠を指示する権限を持つ紙幣取扱者への成りすましを防止することができ、紙幣収納ユニットに収納された紙幣のセキュリティを完全に確保しつつ、紙幣の回収作業を効率良くおこなうことができるようにしている。
【００２４】
また、本実施の形態では、解錠の許可を通知しようとする者から受け付けた暗証番号に基づいて管理者であるか否かを認証する。すなわち、これによって、複雑な入力操作を必要とすることなく、紙幣収納ユニットの解錠を許可する権限を持つ管理者への成りすましを防止することができるようにしている。
【００２５】
また、本実施の形態では、遠隔操作装置により解錠の指示をおこなった者から受け付けた暗証番号に基づいて紙幣取扱者であるか否かを認証する。すなわち、これによって、複雑な入力操作を必要とすることなく、紙幣収納ユニットの解錠を指示する権限を持つ紙幣取扱者への成りすましを防止することができるようにしている。
【００２６】
（遊技媒体貸出システムの構成）
次に、本実施の形態に係る遊技媒体貸出システムの構成を説明する。この遊技媒体貸出システムにおける玉貸処理機２０は、概略的に、遊技客により投入された紙幣（例えば、１０００円札の現金）を受け入れて、遊技媒体である所定数の遊技玉（パチンコ玉）をパチンコ機１０に対して投出する機能とともに、この紙幣投入時の入金情報をメモリ２７内（図８参照）に一時記憶し、この入金情報を売上情報としてリアルタイムで管理サーバ２００に通知する機能を備えている。このため、各玉貸処理機２０と管理サーバ２００とは中継器３００を介して通信自在に構成されている。
【００２７】
また、後述するように、玉貸処理機２０は、店内に取り付け固定された枠体３０（図６および７参照）に対して着脱自在に構成されており、この枠体３０にはジョイント基板３１が設けられている。そして、通常（オンライン時）では、玉貸処理機２０による売上情報は、メモリ２７内に格納され、玉貸処理機２０の交換時或いは、玉貸処理機２０と管理サーバ２００間での通信断線時（オフライン時）には、玉貸処理機２０のメモリ２７内に記憶された売上情報は枠体３０側のメモリ３２内（ジョイント基板３１）に蓄積されることとなる。
【００２８】
中継器３００（ＨＵＢ）は、各「島」内に１基ずつ据置されており、各「島」内のネットワークケーブルを束ねる集線装置（コンセントレータ）としての機能を備えている。本実施の形態では、それぞれの中継器３００は、シリアル接続（ディジーチェーン）により構成されている。
【００２９】
管理サーバ２００は、概略的に、遊技媒体貸出システムを構成する各機器の制御をおこなうものであり、各玉貸処理機２０に投入された紙幣による入金情報を個別の売上情報として取得する機能を備えている。具体的には、各玉貸処理機２０の識別ＩＤに基づいて、個々の玉貸処理機２０ごとに投入された紙幣による入金情報を売上情報として集計し、管理する機能を備えている。なお、この管理サーバ２００は、中央管理装置１００を管理する第三者機関により設置される。
【００３０】
この管理サーバ２００は、管理サーバデータベース２１０と、玉貸処理機２０および中央管理装置１００と通信をおこなうための通信Ｉ／Ｆ２２０と、メニュー画面や売上情報を表示する表示部２３０と、各種指示入力を受け付ける入力部２４０と、管理サーバ２００の全体制御用の制御部２５０とを備えている。
【００３１】
管理サーバデータベース２１０は、玉貸処理機２０の識別ＩＤおよび枠体３０の識別ＩＤに関連付けた入金情報を玉貸処理機の設置場所（号機）ごとに記憶する処理部である。具体的には、各遊技店を個別に識別する遊技店コード、取引時（紙幣投入時）の日付を示す取引日付、玉貸処理機２０を特定する本体識別ＩＤ、枠体を特定する枠体識別ＩＤ、遊技台の番号、売上金額、取引時に設定される取引識別ＩＤという７項目のフィールドが設けられている。
【００３２】
図１３（ｂ）は、図１３（ａ）に示した玉貸処理機２０（本体識別ＩＤ：ＸＸＸＸ１、枠体識別ＩＤ：ＹＹＹＹ１）の売上情報が管理サーバデータベース２１０に格納された際の格納データを示している。
【００３３】
通信Ｉ／Ｆ２２０は、ＢＶロック機構部５３により施錠されたＢＶユニット部５０の解錠を許可する旨（解錠許可信号）を玉貸処理機２０の通信Ｉ／Ｆ２６を介して玉貸処理機２０に通知する機能を備える。具体的には、玉貸処理機２０に対して「解錠許可信号」を送信する。また、玉貸処理機２０の通信Ｉ／Ｆ２６（図８参照）を介して各玉貸処理機２０による売上情報を通信により受信する機能および中央管理装置１００の通信Ｉ／Ｆ１３０（図４参照）を介して管理サーバ２００により集計された各玉貸処理機２０の売上情報を送信する機能を備えている。
【００３４】
表示部２３０は、管理サーバ２００の操作をおこなう「管理者」に対して、管理サーバデータベース２１０の情報やメニュー画像（設定画面）を表示として出力する出力手段であり、モニタなどにより構成される。
【００３５】
入力部２４０は、各種の情報を入力するキーボード、マウスおよびトラックボールなどの指示入力手段であり、玉貸処理機２０に対して「解錠許可」を通知するに際して、「解錠許可」を通知しようとする者から暗証番号の入力を受け付ける。また、「管理者」から管理サーバデータベース２１０の閲覧の受け付けまたは玉貸処理機２０の設定の受け付けなどの遊技店の売上管理に係る指示の受け付けをおこなう。
【００３６】
制御部２５０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的に、解錠許可権限認証部２５１を備える。
【００３７】
解錠許可権限認証部２５１は、解錠を許可する旨の通知をおこなうに際して、解錠の許可を通知しようとする者が紙幣収納ユニットの解錠を許可する権限を持つ管理者であるか否かを認証する処理部である。具体的には、「解錠許可」を通知しようとする者から受け付けた暗証番号と、「解錠許可」の権限を有する者のみが知り得る「暗証番号」とが一致するか否かを認証する。
【００３８】
中央管理装置１００は、各遊技店（遊技店Ａ、Ｂ、Ｃ・・・）に配置された管理サーバ２００との間で相互に通信をおこなうことにより、管理サーバ２００が取得した玉貸処理機２０の売上情報に基づいて、各遊技店ごとの総売上集計、各玉貸処理機２０の管理などをおこなう機能を有し、図４に示すように、遊技店管理データベース１１０と、管理サーバ２００の通信Ｉ／Ｆ２２０（図３参照）を介して通信をおこなう通信Ｉ／Ｆ１２０と、表示部１３０と、入力部１４０と、中央管理制御部１５０とを備える。
【００３９】
ここで、玉貸処理機２０およびパチンコ機１０における詳細な構成を説明する前に、かかる玉貸処理機２０およびパチンコ機１０に適用する本発明に係る遊技媒体貸出システムの特徴について説明する。この遊技媒体貸出システムは、プリペイドカードなどの媒体を使用することなく、玉貸処理機２０に投入される紙幣（現金）による入金情報を売上情報として、管理サーバ２００に通知をおこなうとともに、管理サーバ２００により各玉貸処理機２０の売上情報を集計管理し、これら各玉貸処理機２０の集計データを中央管理装置１００に通知する。
【００４０】
このため、玉貸処理機２０および枠体３０のそれぞれには、予め個別の識別ＩＤ（玉貸処理機２０の識別ＩＤ、枠体３０の枠体識別ＩＤ）が付与されており、これら２つの識別ＩＤは、玉貸処理機の電源ＯＮ時（遊技店の開店時、玉貸処理機本体の交換時等）に、この玉貸処理機２０から管理サーバ２００に対して通信により通知され、管理サーバ２００内に設けられた管理サーバデータベース２１０内に自動的に登録され、以降、各玉貸処理機２０は、遊技客により投入された紙幣による入金ごとに管理サーバ２００に対して入金額（売上金額）をリアルタイムに通知するものとなる。
【００４１】
一方、管理サーバ２００では、玉貸処理機２０からの通信情報（売上金額）を受信し、玉貸処理機２０の識別ＩＤに関連付けて、更新および集計をおこなう。なお、遊技店内には遊技機１０および玉貸処理機２０に接続されたホールコンピュータ（図示せず）が備えられており、このホールコンピュータにより賞球、出球率などの遊技情報に基づいて遊技店内の総売上が管理されることとなっている。
【００４２】
以下、図５〜８を参照して玉貸処理機２０およびパチンコ機１０における構成の詳細について説明する。図５は、図２に示した遊技媒体貸出システムで適用する玉貸処理機２０およびパチンコ機１０の外観正面図であり、図６は、玉貸処理機２０を示す側面図（枠体３０との連結状態）であり、図７は、枠体３０と玉貸処理機２０との分離状態を示す図をそれぞれ示している。図８は、玉貸処理機２０の機能ブロック図を示している。
【００４３】
図５に示すように、玉貸処理機２０は、外見上縦長に構成したもので、貸出処理機本体部２１と、この本体部２１よりも前方（図６の右側）に向けて僅かに突出するように形成されたＢＶユニット部５０とを備えている。また、後述するように、このＢＶユニット部５０は、リモコン９０による「解錠指示」により本体部２１から自動的に取り出し可能に構成されている。
【００４４】
ここで、図６、７に示すように、この玉貸処理機２０は、遊技店内に取り付け固定された枠体３０に対して着脱自在となっており、具体的には、玉貸処理機２０を枠体３０に対して連結させ、玉貸処理機２０および枠体３０の上下に位置するコネクタを相互に嵌め込むことにより、この玉貸処理機２０をパチンコ機１０に隣接した位置に据置することができる。
【００４５】
ＢＶユニット部５０は、紙幣挿入口１５と、紙幣収納部５１と、紙幣識別部５２とを具備する。紙幣挿入口１５は、紙幣（例えば、１０００円札）を受け入れて、該紙幣を紙幣収納部５１に取り込むための開口である。紙幣収納部５１は、遊技客により紙幣挿入口１５から挿入された紙幣を収納する機能を備えている。本実施の形態では、「紙幣取扱者」により紙幣収納部５１内に収納された紙幣を回収するようにしているため、紙幣を島端へ搬送する紙幣搬送路および島端において紙幣を回収する紙幣回収ボックスが不要となる。
【００４６】
紙幣識別部５２は、遊技客により紙幣挿入口１５から挿入された紙幣に対する金額情報の判定（識別）および金額情報を記憶する紙幣処理機能を備えており、遊技客により挿入された紙幣を受け入れて識別し、正常と判定される紙幣については、その識別結果および金額情報は制御部８０に通知される。そして、この制御部８０では、玉貸処理機２０の識別ＩＤに関連付けて売上情報をメモリ２７内に格納する。一方、挿入された紙幣が識別不能な紙幣については、紙幣挿入口１５を通じて返却する。
【００４７】
ＢＶロック機構部５３は、ＢＶユニット部５０の施錠をおこなう機構を備えており、このＢＶロック機構部５３によるロック（施錠）の解錠は、「紙幣取扱者」や管理者が所持するリモコン９０による解錠操作によりおこなわれる。
【００４８】
ここで、図９を参照して、本実施の形態におけるＢＶユニット部５０に対する解錠機構について説明する。図９は、紙幣の回収時におこなわれるロック（施錠）の解錠動作を説明する玉貸処理機２０の斜視図を示している。
【００４９】
すなわち、図９に示すように、ＢＶロック機構部５３は、「管理者」から解錠を許可する旨（解錠許可信号）を管理サーバ２００より通知され、「ロック機構制御状況」を「通常状態」から「解錠許可状態」に移行した後に、「紙幣取扱者」が所持するリモコン９０による操作により解錠を指示する旨（解錠指示信号の送信）を通知された場合に、ロック機構部５３によるロックが解錠する機構となっている。具体的には、「紙幣取扱者」が玉貸処理機２０のリモコン用受信部２４に向けて、リモコン９０の個別解錠キー９５（図１１参照）をＯＮ操作するとＢＶユニット部５０が玉貸処理機２０の前方（図９の矢印Ａ方向）に突出するとともに、紙幣収納部５１（図９）が開口する機構となっている。これにより、紙幣収納部５１に収納された紙幣を回収するものとなる。
【００５０】
一方、ＢＶユニット部５０の装着（施錠）は、前方に突出した状態のＢＶユニット部５０を手で本体２１側（図９の矢印Ｂ方向）に向けて、押し込むことにより、ＢＶロック機構部５３を作動させることができる。後述するように、ロック機構部５３の作動は、ソレノイド６０に対する通電のＯＮ／ＯＦＦによりおこなう。以下、図１０（ａ）（ｂ）を参照して、ＢＶロック機構部５３の詳細を説明する。
【００５１】
すなわち、図１０（ａ）に示すように、ＢＶロック機構部５３は、ソレノイド６０、ロックレバー６１、アンカー板７５、押圧板ばね７１とから構成されている。また、ＢＶユニット部５０の上下位置には、スライドレール７４が設けられているため、このＢＶユニット部５０はスライドレール７４に沿って、装着方向および取り出し方向に平行移動することができる。
【００５２】
アンカー板７５の上端部には押圧板ばね７１の基端部が取り付けられ、この押圧板ばね７１の先端部は、紙幣収納部５１を構成する筐体（ケース）の後端部に当接されている。
【００５３】
このため、常時、ＢＶユニット部５０は、押圧板ばね７１の弾力により、ＢＶユニット部５０が離脱する方向（図１０のＡ方向）に向けて押圧されている。ロックレバー６１の先端部には、鉤部６２が形成されており、この鉤部６２は、アンカー板７１に形成された係合ピン７２と係合可能となっている。
【００５４】
また、引っ張りばね７３の一端（図１０の上側）は、アンカー板７１の上部に延出された取り付け部７１ａに、他端（図１０の下側）は、ロックレバー６１の基端部に取り付けられている。このため、ソレノイド６０のＯＦＦ時（非通電時）、ロックレバー６１は、引っ張りばね７３の弾力により支軸７８を支点として、時計方向に偏奇するため、この弾力によりロックレバー６１の鉤部６２とアンカー板７１の係合ピン６２とが係合し、これにより、ＢＶユニット部５０に対するロック（施錠）をおこなわれるものとなる。なお、ソレノイド６０に対する通電のＯＮ／ＯＦＦは、ＢＶユニット制御部５６による通電制御によりおこなわれる。
【００５５】
一方、図１０（ｂ）に示すように、ソレノイド６０のＯＮ時（通電時）には、このソレノイド６０の作動（ＯＮ）にともなって、引っ張りばね７３の弾力に抗して、ロックレバー６１の鉤部６２とアンカー板７１の係合ピン７２との係合が外れる。これにより、ＢＶユニット部５０は、押圧板ばね７１の押圧力により、スライドレール７４に沿って、図１０（ｂ）の矢印Ａ方向に向けて突出する。これにより、ＢＶユニット部５０に対する解錠をおこなうことができる。また、前述したように、ＢＶユニット部５０に対する施錠は、このＢＶユニット部５０を手により、図１０（ｂ）の矢印Ｂ方向に向けて、押し込むことにより容易におこなうことができる。
【００５６】
以上のように、本実施の形態におけるロック機構部５３の場合には、リモコンによる操作で簡単に解錠をおこなうことができ、ロック（施錠）は手動により容易におこなうことができるため、従来のように店員が解錠用の鍵などを持ち歩く必要がなくなるうえ、紙幣収納部５１内の紙幣を搬送する紙幣搬送機構や紙幣収納金庫などが不要となり、コスト削減およびセキュリティの面で有効である。
【００５７】
また、玉貸処理機２０の本体部２１の前面パネルには、表示ランプ部２２と、表示部２３と、リモコン用受光部２４とを具備する。
【００５８】
表示ランプ部２２は、玉貸処理機２０の稼動状況を報知する機能を備えており、状態に応じて３色（緑色、赤色、黄色）の表示ランプを選択して点灯させることができる。具体的には、緑色ランプの点灯は、正常動作を、赤色ランプの点灯は、何らかの異常が発生して使用が不可能な状態を、黄色ランプの点灯は、通信経路の断線などのオフライン発生時の状態をそれぞれ示している。
【００５９】
リモコン用受光部２４は、リモコン９０により送信された送信信号に基づいて、玉貸処理機２０のエラー状態をリセットするエラーリセット信号、解錠信号（解錠指示信号）を受信する機能を具備している。また、後述するように、管理サーバ２００より「解錠許可信号」を受信し、「ロック機構制御状況」が「通常状態」から「解錠許可状態」に移行された後に、リモコン９０による「解錠指示信号」を受信した場合には、ＢＶユニット部５０のロック（施錠）が解錠されるものとなる。
【００６０】
表示部２３は、玉貸処理機２０のエラー状態をエラーコードなどで表示する機能を備えている。また、電源部２５は、玉貸処理機２０に対して、ＡＣ電源（１００Ｖ）による電圧を供給するための電源部である。
【００６１】
通信Ｉ／Ｆ２６（インターフェース）は、管理サーバ２００の通信Ｉ／Ｆ２２０を解して解錠を許可する旨（解錠許可信号）を受信する機能を備える。また、管理サーバ２００に対して各玉貸処理機２０による売上情報をリアルタイム通信により送信する機能を備えている。
【００６２】
売上情報記憶テーブル２８は、紙幣による入金情報を売上情報として玉貸処理機２０の識別ＩＤおよび枠体３０の識別ＩＤの組み合わせごとに記憶するテーブルである。具体的には、図１３（ａ）に示すように、玉貸処理機２０の識別ＩＤおよび枠体３０の識別ＩＤの組み合わせ（取引ＩＤ）ごとの複数の領域に、各遊技店を個別に識別する遊技店コード、玉貸処理機２０を特定する本体識別ＩＤ、枠体を特定する枠体識別ＩＤ、遊技台の番号および売上金額を記憶する機能を備えている。
【００６３】
制御部８０は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、機能概念的に、解錠指示権限認証部８１と、ＢＶユニット制御部８２と、パチンコ機１０に対する玉投出機能を具備する玉貸制御部８３とを備える。
【００６４】
このうち、解錠指示権限認証部８１は、リモコン９０により解錠を指示する旨を通知された際に、該リモコン９０により解錠の指示をおこなった者が紙幣収納ユニットの解錠を指示する権限を持つ紙幣取扱者であるか否かを認証する処理部である。具体的には、リモコン９０から「解錠指示信号」を受信するとともに、「解錠指示」を通知した者から受け付けた「暗証番号」を受信した際、該「暗証番号」と、「解錠指示」の権限を有する者（紙幣取扱者）のみが知り得る「暗証番号」とが一致するか否かを認証する。
【００６５】
ＢＶユニット制御部８２は、管理サーバ２００より解錠を許可する旨を通知された後に、リモコンにより解錠を指示する旨を通知された場合に、ＢＶユニット部５０の解錠をおこなうように制御する処理部である。具体的には、「管理者」から解錠を許可する旨（解錠許可信号）を管理サーバ２００より通知され、「ロック機構制御状況」が「通常状態」から「解錠許可状態」に移行された後に、「紙幣取扱者」が所持するリモコン９０による操作により解錠を指示する旨（解錠指示信号の送信）を通知された場合に、ＢＶロック機構部５３によるロック（施錠）を制御し、ＢＶユニット部５０を解錠する。
【００６６】
一方、枠体３０の上部位置（図７参照）には、ジョイント制御基板３１が設けられており、このジョイント基板３１は、玉貸処理機２０を入れ替えた際および通信状態の断線時（オフライン時）の売上情報（データ）の保存用として機能するメモリ３３を備えている。このメモリ３３の内部には、パチンコ機１０の遊技台番号に対応するとともに、玉貸処理機２０の識別ＩＤおよび枠体３０の識別ＩＤに関連付けた入金情報を格納する売上情報記憶テーブル３３が設けられている。
【００６７】
また、遊技機であるパチンコ機１０は遊技領域１１および下方に設けた上皿１２とにより構成され、その内部には玉投出機構部１３が設けてある。この玉投出機構部１３は、制御部８０から打球投出要求が与えられた場合、並びにパチンコ機１０による賞玉投出要求が与えられた場合に、それぞれパチンコ機１０の上皿１２に所定数のパチンコ玉を投出する部分である。
【００６８】
次に、本発明の遊技媒体貸出システムにおいて適用されるリモコンの概要について説明する。図１１は、「紙幣取扱者」が所持するリモコンを示す外観図である。また、図１２は、リモコンの概略を示す機能ブロック図を示している。
【００６９】
リモコン９０は、赤外線を送出する発光ダイオード（ＬＥＤ）などを備えた無線式の遠隔操作装置である。すなわち、図１１に示すように、リモコン９０構成する前面パネル部には、エラーの発生時に、リセット処理をおこなう「リセットキー」、操作の設定をおこなう「設定キー」、操作の取り消しをおこなう「取消キー」、「解錠指示通知」を設定する「個別解錠キー」または「島解錠キー」、「送りキー」、「戻しキー」などの設定入力部９１（図１２）および「解錠指示権限認証処理」における暗証番号を入力するため「テンキー（０〜９）」などのテンキー入力部９２が設けられている。
【００７０】
図１２は、リモコン９０の概要を示す機能ブロック図である。すなわち、リモコン９０は、設定入力部９１と、テンキー入力部９２と、ＬＥＤ送信部９３と、制御部９４と、メモリ９５とから構成されている。このうち、ＬＥＤ送信部９３は、玉貸処理機２０のリモコン用受光部２４（図８）に赤外線信号を送信し、ＢＶロック機構部５３の作動を指示するＬＥＤなどからなる赤外線送信部である。
【００７１】
（各種処理の手順）
次に、本実施の形態に係る遊技媒体貸出システムによる各種処理の手順を説明する。なお、ここでは、本発明に係る遊技媒体貸出システムの「基本制御手順」を説明した後に、管理サーバにより「解錠許可」を通知する「解錠許可通知処理」について説明し、最後に、管理サーバによる「解錠許可通知」およびリモコンによる「解錠指示通知」に基づく、玉貸処理機における「解錠制御処理」について説明する。
【００７２】
＜基本制御手順＞
図１５は、本実施の形態に係る遊技媒体貸出システムの基本制御手順を示すフローチャートである。すなわち、本発明の遊技媒体貸出システムは、大別して（１）開店時設定工程（ステップＳＡ１００）、（２）オンライン制御工程（ステップＳＡ２００）、（３）紙幣回収工程（ステップＳＡ３００）、（４）定期通信工程（ステップＳＡ４００）、（５）閉店時設定工程（ステップＳＡ５００）の５つの処理工程により構成されている。まず、これら（１）〜（５）の各制御工程について簡単に説明する。
【００７３】
（１）開店時設定工程
開店時設定工程は、管理サーバ２００により実行される開店通知による開店処理であり、この開店処理は、開店通知として、第三者機関である中央管理装置１００および遊技店内の各玉貸処理機２０に対してその旨が通知されるものとなる。
【００７４】
すなわち、玉貸処理機２０および枠体３０のそれぞれには、予め個別の識別ＩＤ（玉貸処理機本体の識別ＩＤ、枠体の枠体識別ＩＤ）が付与されており、これら２つの識別ＩＤは、玉貸処理機２０の電源ＯＮ時、この玉貸処理機２０から管理サーバ２００に対して通信により通知されるとともに、これら玉貸処理機２０の識別ＩＤ、枠体の枠体識別ＩＤは、管理サーバ２００内に設けられた管理サーバデータベース２１０内に自動的に登録される。以降、管理サーバ２００は、各玉貸処理機２０からリアルタイムで通知される売上情報を管理サーバデータベース２１０内に格納するとともに、紙幣の投出に伴って売上情報の更新をおこなうこととなる。
【００７５】
（２）オンライン制御工程（通常時）
オンライン制御工程は、遊技客によって玉貸処理機２０に対して現金（紙幣）が投入された際、この玉貸処理機２０からパチンコ機１０に対して、玉を貸し出す玉貸し出し命令を通知するとともに、投入された紙幣による売上情報を玉貸処理機２０の識別ＩＤおよび枠体３０の識別ＩＤに関連付けて管理サーバ２００に対して通知する処理工程である。ここで、管理サーバ２００から中央管理装置１００に対して送信される売上情報の通知は、通常はリアルタイム通信により、逐次おこなわれるが、一定時間ごとにおこなうようにしてもよい。
【００７６】
（３）紙幣回収工程
紙幣回収工程は、「紙幣取扱者」が所持するリモコン９０の操作により玉貸処理機２０に備えたＢＶユニット部５０の解錠をおこない、このＢＶユニット部５０の内部に収納されている紙幣を回収する処理工程であり、遊技店の営業時間内および閉店時に適宜おこなわれる。詳細は、後述するが、紙幣回収工程における、紙幣の回収は、リモコン９０を使用して指示される「解錠指示」に基づいておこなわれる。
【００７７】
（４）定期通信工程
定期通信工程は、遊技店の営業時間内において、管理サーバ２００と中央管理装置１００との間で実施される相互間の接続状態やエラーログなどを定期的に確認する処理工程である。
【００７８】
（５）閉店時通知工程
閉店時通知工程は、各玉貸処理機２０から１日の売上情報を管理サーバ２００により全て取得するとともに、中央管理装置１００に対して集計売上情報を送信する処理工程である。この際、管理サーバ２００から閉店通知信号が中央管理装置１００および玉貸処理機２０に対して送信される。
【００７９】
＜解錠許可通知処理＞
図１６は、本実施の形態に係る遊技媒体貸出システムの解錠許可通知処理の手順を示すフローチャートである。同図に示すように、管理サーバ２００は、玉貸処理機２０に対して「解錠許可」を通知するに際して、「解錠許可」を通知しようとする者から「暗証番号」の入力を受け付ける（ステップＳ１６０１）。
【００８０】
ここで、「解錠許可」を通知しようとする者から受け付けた暗証番号と、「解錠許可」の権限を有する者のみが知り得る「暗証番号」（予め登録されている）とが一致する場合には（ステップＳ１６０２肯定）、解錠を許可する旨（解錠許可信号）を玉貸処理機２０の通信Ｉ／Ｆ２６を介して玉貸処理機２０に通知する（ステップＳ１６０３）。
【００８１】
このように、管理サーバ２００による「解錠許可」の通知がなければ、紙幣収納ユニットの解錠がおこなわれないように制御することにより、不正を目的とする第三者にリモコンを入手されてしまった場合でも、紙幣収納ユニットに収納された紙幣のセキュリティを確保することが可能になる。
【００８２】
また、複雑な入力操作を必要とすることなく、正当な権限を持つ管理者を認証することができ、紙幣収納ユニットの解錠を許可する権限を持つ管理者への成りすましを防止することが可能になる。
【００８３】
＜解錠制御処理＞
図１７は、本実施の形態に係る遊技媒体貸出システムの解錠制御処理の手順を示すフローチャートである。同図に示すように、玉貸処理機２０は、「管理者」から解錠を許可する旨（解錠許可信号）を管理サーバ２００より通知され、「ロック機構制御状況」を「通常状態」から「解錠許可状態」に移行する（ステップＳ１７０１）。
【００８４】
一方、リモコン９０において、「解錠指示」を通知するに際して、「解錠指示」を通知しようとする者から「暗証番号」の入力を受け付け（ステップＳ１７０２）、玉貸処理機２０のリモコン用受光部２４（図８）に対して赤外線信号（「解錠指示信号（「暗証番号」を含む信号）」）を送信することによって玉貸処理機２０に「解錠指示」を通知する（ステップＳ１７０３）。
【００８５】
また、玉貸処理機２０は、リモコン９０から「解錠指示信号」を受信するとともに、「解錠指示」を通知した者から受け付けた「暗証番号」を受信した際（ステップＳ１７０４）、該「暗証番号」と、「解錠指示」の権限を有する者（紙幣取扱者）のみが知り得る「暗証番号」とが一致するか否かを認証する（ステップＳ１７０５）。
【００８６】
そして、「解錠指示」を通知した者から受け付けた「暗証番号」と、「解錠指示」の権限を有する者（紙幣取扱者）のみが知り得る「暗証番号」とが一致した場合には（ステップＳ１７０５肯定）、ＢＶロック機構部５３によるロック（施錠）を制御し、ＢＶユニット部５０を解錠する（ステップＳ１７０６）。
【００８７】
上述してきたように、本実施の形態に係る遊技媒体貸出システムによれば、紙幣収納ユニットに収納された紙幣のセキュリティを確保しつつ、紙幣の回収作業を効率良くおこなうことが可能になる。
【００８８】
（他の実施の形態）
さて、これまで本発明の実施の形態について説明したが、本発明は上述した実施の形態以外にも、上記特許請求の範囲に記載した技術的思想の範囲内において種々の異なる実施の形態にて実施されてもよいものである。
【００８９】
例えば、本実施の形態では、管理サーバによって「解錠許可」を通知された後に、紙幣収納ユニットの解錠を許可することとしたが、本発明はこれに限定されるものではなく、遠隔操作装置により「解錠指示」を通知された場合に、該遠隔操作装置により「解錠指示」をおこなった者が紙幣収納ユニットの解錠を指示する権限を持つ「紙幣取扱者」であるか否かを認証し、「紙幣取扱者」であると認証された場合に、紙幣収納ユニットの解錠をおこなうように制御してもよい。
【００９０】
すなわち、これによって、紙幣収納ユニットに収納された紙幣のセキュリティを妥当な程度に確保しつつ、紙幣の回収作業を効率良くおこなうことが可能になる。さらに、これに関連して、図１４に示すように、管理サーバとの通信が途絶えた通信異常状態において、上記の形態で実施することにより、通信経路の断線による通信異常状態に陥った場合でも、紙幣収納ユニットに収納された紙幣のセキュリティを妥当な程度に確保しつつ、紙幣の回収作業を効率良くおこなうことが可能になる。
【００９１】
また、本実施の形態と上記変形例を組み合わせることも可能である。図１８に示すように、管理サーバによって「解錠許可」が通知された状態においては、遠隔操作装置によって「解錠通知」のみが通知されればロック（施錠）を解錠するものとする。一方、管理サーバによって「解錠許可」が通知されていない状態においては、遠隔操作装置によって「解錠通知」と「暗証番号」の通知を受けて、当該「暗証番号」のチェックをおこなって正当な「紙幣取扱者」であることが確認された場合にのみロック（施錠）を解錠するものとする。
【００９２】
また、本実施の形態では、解錠の許可を通知しようとする者が紙幣収納ユニットの解錠を許可する権限を持つ管理者であるか否かを認証する場合、または、遠隔操作装置により解錠の指示をおこなった者が紙幣収納ユニットの解錠を指示する権限を持つ紙幣取扱者であるか否かを認証する場合に、「暗証番号」の一致または不一致によって正当な権限者であるか否かを認証する認証処理について説明したが、本発明はこれに限定されるものではなく、指紋認証または声紋認証などの認証処理についても同様に適用することができる。
【００９３】
また、本実施の形態では、本発明に係る遊技媒体貸出システムをパチンコ遊技に適用した場合を示しているが、本発明は、パチンコ遊技に限定することなくパチスロ機による遊技システムにも好適に適用することができる。具体的には、パチスロ機によるメダル貸出処理機に備えたメダル補給用の補給用扉に対する解錠制御システムとして、本発明を適用することができる。
【００９４】
また、本実施の形態では、パチンコ機の内部から玉が投出される（所謂、ＣＲ機方式）について説明したが、本発明はこれに限定されるものではなく、玉貸処理機からノズルを介して玉が投出される方式にも本発明は好適に適用することができる。
【００９５】
また、本実施の形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００９７】
【発明の効果】
以上説明したように、本発明によれば、管理サーバは、ロック機構により施錠された紙幣収納ユニットの解錠を許可する旨を通知し、貸出処理機は、解錠を許可する旨を通知された後に、遠隔操作装置により解錠を指示する旨を通知された場合に、紙幣収納ユニットの解錠をおこなうように制御することとしたので、紙幣収納ユニットに収納された紙幣のセキュリティを確保しつつ、紙幣の回収作業を効率良くおこなうことが可能な遊技媒体貸出システムが得られるという効果を奏する。
【００９８】
また、本発明によれば、管理サーバは、解錠を許可する旨の通知をおこなうに際して、解錠の許可を通知しようとする者が紙幣収納ユニットの解錠を許可する権限を持つ管理者であるか否かを認証し、管理者であると認証された場合に、紙幣収納ユニットの解錠を許可する旨を通知することとしたので、紙幣収納ユニットの解錠を許可する権限を持つ管理者への成りすましを防止することができ、紙幣収納ユニットに収納された紙幣のセキュリティをより高い水準で確保しつつ、紙幣の回収作業を効率良くおこなうことが可能な遊技媒体貸出システムが得られるという効果を奏する。
【００９９】
また、本発明によれば、貸出処理機は、遠隔操作装置により解錠を指示する旨を通知された際に、該遠隔操作装置により解錠の指示をおこなった者が紙幣収納ユニットの解錠を指示する権限を持つ紙幣取扱者であるか否かを認証し、紙幣取扱者であると認証された場合に、紙幣収納ユニットの解錠をおこなうように制御することとしたので、紙幣収納ユニットの解錠を指示する権限を持つ紙幣取扱者への成りすましを防止することができ、紙幣収納ユニットに収納された紙幣のセキュリティを完全に確保しつつ、紙幣の回収作業を効率良くおこなうことが可能な遊技媒体貸出システムが得られるという効果を奏する。
【０１００】
また、本発明によれば、解錠の許可を通知しようとする者から受け付けた暗証番号に基づいて管理者であるか否かを認証することとしたので、複雑な入力操作を必要とすることなく、紙幣収納ユニットの解錠を許可する権限を持つ管理者への成りすましを防止することが可能な遊技媒体貸出システムが得られるという効果を奏する。
【０１０１】
また、本発明によれば、遠隔操作装置により解錠の指示をおこなった者から受け付けた暗証番号に基づいて紙幣取扱者であるか否かを認証することとしたので、複雑な入力操作を必要とすることなく、紙幣収納ユニットの解錠を指示する権限を持つ紙幣取扱者への成りすましを防止することが可能な遊技媒体貸出システムが得られるという効果を奏する。
【０１０２】
また、本発明によれば、貸出処理機は、遠隔操作装置により紙幣収納ユニットの解錠を指示する旨を通知された場合に、該遠隔操作装置により解錠の指示をおこなった者が紙幣収納ユニットの解錠を指示する権限を持つ紙幣取扱者であるか否かを認証し、紙幣取扱者であると認証された場合に、紙幣収納ユニットの解錠をおこなうように制御することとしたので、紙幣収納ユニットに収納された紙幣のセキュリティを妥当な程度に確保しつつ、紙幣の回収作業を効率良くおこなうことが可能な遊技媒体貸出システムが得られるという効果を奏する。
【図面の簡単な説明】
【図１】本実施の形態に係る遊技媒体貸出システムの概要を示す説明図である。
【図２】本実施の形態に係る遊技媒体貸出システムの概略構成を示す機能ブロック図である。
【図３】図２に示した管理サーバの構成を示す機能ブロック図である。
【図４】図２に示した中央管理装置の構成を示す機能ブロック図である。
【図５】図２に示した遊技媒体貸出システムで適用する玉貸処理機およびパチンコ機の外観正面図である。
【図６】図５に示した玉貸処理機を示す側面図である。
【図７】図５に示した玉貸処理機と枠体との分離状態を示す図である。
【図８】本実施の形態に係る玉貸処理機の概略構成を示す機能ブロック図である。
【図９】玉貸処理機のＢＶユニット部に対する突出状態を示す斜見図である。
【図１０】（ａ）は、ＢＶロック機構部のロック状態を、（ｂ）は、ロック解錠状態をそれぞれ示す概略説明図である。
【図１１】リモコンの外観正面図である。
【図１２】実施の形態に係るリモコンの概略を示す機能ブロック図である。
【図１３】（ａ）は、売上情報記憶テーブルの構成を、（ｂ）は、管理サーバデータベースの構成をそれぞれ示す図である。
【図１４】他の実施の形態を説明するための概念図である。
【図１５】本実施の形態に係る遊技媒体貸出システムの基本制御手順を示すフローチャートである。
【図１６】本実施の形態に係る遊技媒体貸出システムの解錠許可通知処理の手順を示すフローチャートである。
【図１７】本実施の形態に係る遊技媒体貸出システムの解錠制御処理の手順を示すフローチャートである。
【図１８】他の実施の形態における手順を示すフローチャートである。
【符号の説明】
１０  パチンコ機
１５  紙幣挿入口
２０  玉貸処理機
２２  表示ランプ
２３  表示部
２４  リモコン用受光部
２５  電源部
２６、１２０、２２０  通信Ｉ／Ｆ
２７、３２  メモリ
２８、３３  売上情報記憶テーブル
３０  枠体
３１  ジョイント基板
５０  ＢＶユニット部
５１  紙幣収納部
５２  紙幣識別部
５３  ＢＶロック機構部
８０  制御部
８１  解錠指示権限認証部
８２  ＢＶユニット制御部
８３  玉貸制御部
９０  リモコン
９１  設定入力部
９２  テンキー入力部
９３  ＬＥＤ送信部
９４  制御部
９５  メモリ
１００  中央管理装置
１１０  遊技店管理データベース
１３０  表示部
１４０  入力部
１５０  中央管理制御部
２００  管理サーバ
２１０  管理サーバデータベース
２３０  表示部
２４０  入力部
２５０  制御部
２５１  解錠許可権限認証部
３００  中継器
【図１】
0004726406.tif 000002
【図２】
0004726406.tif 000003
【図３】
0004726406.tif 000004
【図４】
0004726406.tif 000005
【図５】
0004726406.tif 000006
【図６】
0004726406.tif 000007
【図７】
0004726406.tif 000008
【図８】
0004726406.tif 000009
【図９】
0004726406.tif 000010
【図１０】
0004726406.tif 000011
【図１１】
0004726406.tif 000012
【図１２】
0004726406.tif 000013
【図１３】
0004726406.tif 000014
【図１４】
0004726406.tif 000015
【図１５】
0004726406.tif 000016
【図１６】
0004726406.tif 000017
【図１７】
0004726406.tif 000018
【図１８】
0004726406.tif 000019